(57)【要約】【課題】手動器具の柄部に組込むための姿勢案内補助具である。【解決手段】この補助具は、ユーザが手動器具使用中に、その握りの位置を変えて器具の使い心地と操作性を向上させる隆起部を含む。歯ブラシ、回転式カッタ、ロールヘアブラシ、（折畳み式）乳母車及び筆記具など各種の実施例が提供される。
2004533898.tif 000002
【特許請求の範囲】
【請求項１】
器具の柄部に組込むための姿勢誘導補助具であって、実質的に丸味のある隆起部を含み、その隆起部が隆起を覆う単一連続表面の一部である上面と下面とを含み、その上面が柄部の縦軸から変位角度でその上に配置される第１軸を含み、その第１軸が、これもまた上面の上に配置される第２軸に対し直角になっており、第１軸の周りの第２軸の回転により定まる二重螺旋の一部に上面が配置される、姿勢誘導補助具。
【請求項２】
上面の第２軸の長さにより定まる隆起の幅が、上面と下面との間の距離として配置される隆起の厚さより大きい、請求項１に記載の姿勢誘導補助具。
【請求項３】
下面が上面に対し平行に配置される、請求項１又は２に記載の姿勢誘導補助具。
【請求項４】
変位角度が鋭角である、先行請求項のいずれかに記載の姿勢誘導補助具。
【請求項５】
変位角度が５乃至４５度の範囲内である、請求項４に記載の姿勢誘導補助具。
【請求項６】
変位角度が、第１軸と縦軸との交点と、第１軸と第２軸との交点との間の距離に対し、反比例の関係で導出される、請求項４に記載の姿勢誘導補助具。
【請求項７】
手動器具に使用するための柄部であって、請求項１乃至６のうちいずれか１項に記載の姿勢誘導補助具を含む柄部。
【請求項８】
柄部が、縦軸上に軸を含む、請求項７に記載の柄部。
【請求項９】
軸が、概ね平らな面を縦軸に平行に含む、請求項８に記載の柄部。
【請求項１０】
平らな面が、第１軸と縦軸との交点であって変位角度が形成される場所がその上に位置するよう配置されている、請求項９に記載の柄部。
【請求項１１】
軸が、複数の概ね平らな面を縦軸に平行に含む、請求項８乃至１０うちいずれか１項に記載の柄部。
【請求項１２】
軸が、概ね平らな面３つを縦軸に平行に含む、請求項１１に記載の柄部。
【請求項１３】
手動器具であって、可動部と、可動部の運動をもたらす少なくも１つの柄部とを含み、少なくも１つの柄部が請求項７乃至１２のいずれかに記載のものである、器具。
【請求項１４】
器具が柄部１つを含む、請求項１３に記載の手動器具。
【請求項１５】
器具が柄部２つを含む、請求項１３に記載の手動器具。
【請求項１６】
可動部が、少なくも１つの柄部に対する取付け点に隣接して配置される少なくも１つの縦軸を含む、請求項１３乃至１５のうちいずれか１項に記載の手動器具。
【請求項１７】
可動部の少なくも１つの縦軸が、少なくも１つの柄部の縦軸と同一線上にある、請求項１６に記載の手動器具。
【請求項１８】
可動部の少なくも１つの縦軸が、柄部の縦軸に対しオフセットされる、請求項１６に記載の手動器具。
【請求項１９】
可動部が動作部を含み、動作部が、可動部の一部がユーザにより操作されることを必要として定義される、請求項１３乃至１８のうちいずれか１項に記載の手動器具。
【請求項２０】
動作部が、可動部の表面である、請求項１９に記載の手動器具。
【請求項２１】
動作部が、可動部の縦軸に平行な平面上にあり、可動部が柄部に対し、作業部の平面が縦軸上で回転するよう取付けられるので、作業部の平面が、柄部の軸の概ね平らな平面と同一平面上にない、請求項２０に記載の手動器具。
【請求項２２】
動作部の平面が、第１軸と第２軸との作る平面に平行な平面上にある、請求項２１に記載の手動器具。
【請求項２３】
ユーザが操作することの出来る動作部が、柄部の３６０度回転の大部分を覆う、請求項１３乃至１５のうちいずれか１項に記載の手動器具。
【発明の詳細な説明】
【技術分野】
【０００１】
本発明は、手動器具の操作を補助する手持ちの補助具に関する。より具体的には、本発明は柄部が装着される器具の使い心地と操作性を向上させるため柄部上に組込むための姿勢案内補助具に関する。
【背景技術】
【０００２】
柄部のある器具を差出されると、特に柄部が軸であるとき、ユーザは軸をハンマーのように握る傾向がある。この握り方は一般的に、親指を他の指の上に置き、他の指で柄部の軸の周りを包み込む、あるいは出来れば親指の腹を軸の縦軸上に置く、と説明することが出来る。このような握り方は、器具を固く保持して、手首の運動と親指が縦軸に対して加えるある程度の振り下ろす力を用いて器具の操作を行なう。親指が縦軸を押し下げるとき、親指の腹と同じ手の薬指、小指との間にてこが形成される。この姿勢に親指と薬指、小指が縦方向に並ぶため、手首を使わなければごく限られたてこ作用、つまりトルクだけしか柄部を通じて加えることが出来ない。
【０００３】
人間工学の研究により、器具を操作する際の手首の運動の量を減少させることができれば、ユーザの感じる痛みを軽減して器具の取扱をより快適にできることがわかった。人間工学柄部は、柄部に接触するユーザの掌と指の形態学に適応した柄部形状の改良に貢献してきた。柄部に親指静置位を加えることにより、器具を操作するために親指がトルクを与える面積が増加した。こうして、柄部は手の形状に適応するように作られ、「形状適応」と呼ばれることもある。形状適応によりユーザは、手を適切な位置に「固定」した定位置で柄部を握るので、使用中に手の中で柄部を操ることを回避できる。これらの柄部は一層の握り心地の良さを実現するが、手首を使わなければならないので器具の操作の補助にはならず、その上、ユーザの手の大きさや、左利き又は右利きに合わせて作らなければならない点で限界がある。
【０００４】
歯ブラシの毛の先端をユーザの歯に対し意のままに操作しなければならない歯ブラシ用の人間工学柄部の作成には、多大な努力がなされた。今日の歯ブラシは殆ど、柄部の縦軸上に平担な表面を有し、その面の柄部ヘッドには歯ブラシの毛に向かって親指レストのための幅の広い部分が含まれる。ユーザが柄部を握るとき、薬指と小指は平担な表面上に置き、親指を親指レストに置く。歯ブラシの毛の操作は、親指を縦軸の片側に動かし、親指又は薬指と小指を用いて圧力を加えることにより、柄部つまり歯ブラシの毛を回転させる。これは、レスト上の親指の位置と平担な表面上の薬指および小指との間にてこが形成されるために生じる。てこの平衡点は掌の上の点、一般的には中指の第３関節上にある。これらの歯ブラシは、ユーザに平均以上の器用さが要求される。圧力を均等に加えながら、柄部を意のままに回転させるために柄部を平衡させなければならないからである。事実、殆どのユーザは親指を縦軸上に置き手首を用いてブラシを操作する姿勢をとる傾向にある。これは、短期間の使用には適しているが、歯ブラシについて予期できるように、他の器具が快適に作動できる期間が制限される。加えて、一般的にこれが適しているのは、親指とそれ以外の指を置く平担な表面と同一平面上にある作業面、即ち歯ブラシの毛をもつ器具にのみである。
【０００５】
好適な角度又は傾きで使用されることを必要とする歯ブラシ及びカミソリなどの器具については、手持ち器具が国際特許出願ＷＯ９７／４４１６４号に記述されている。この器具は、柄部の縦軸に対しほぼ中心の第１位置から、柄部の縦軸の外側にある第２位置までが螺旋構造になっている成形親指レストを有する柄部を含む。この螺旋構造は、器具のヘッドに近づくにつれ、ヘッド又は刃先部分のオフセット方向に形成されている。この柄部は、器具のユーザがヘッド又は刃先を好適な角度又は傾きで対象物に当てられるように仕向けるが、多数の欠点がある。即ち、親指レストが縦軸から螺旋状になっているので、親指の位置が軸に近く、使用する際に柄部に与える回転は僅かである。加えて、ヘッドを柄部のオフセット位置に取付けなければならず、器具に右利き用と左利き用を作らなければならない。
【発明の開示】
【発明が解決しようとする課題】
【０００６】
本発明の少なくとも１つの実施例の目的は、柄部が接続される器具のユーザに、さらに優れた使用快適性を提供するため、柄部との組合せでてこ作用をもたらす姿勢案内補助具を提供することである。
【０００７】
本発明の少なくとも１つの実施例の更なる目的は、補助具を装着する柄部の握りの位置をユーザが都合の良い位置に連続的に換えることの出来る、姿勢案内補助具を提供することである。
【０００８】
本発明の少なくとも１つの実施例の更にその上の目的は、柄部との組合せで右利き及び左利き双方の人が、柄部に接続される器具を器用に動かせるようにする姿勢案内補助具を提供することである。
【課題を解決するための手段】
【０００９】
本発明の第１の態様により、器具の柄部に組込むための姿勢案内補助具が提供できる。この補助具には、十分に丸味を帯びた隆起部があり、この隆起部を覆う単一連続面の部分には上面と下面を含み、上面は柄部の縦軸から変位角の位置に置かれる第１軸を含む。第１軸は、これもまた上面に置かれる第２軸と直交する。上面は、第１軸を廻る第２軸の回転により画定される二重螺旋の部分の上に配置される。
【００１０】
補助具は、親指レストに対する隆起部なので、ユーザは任意の指又は親指を隆起部上の任意の場所に当てがい、てこ上の第１点とすることが出来る。てこ上の対向点は、変位角が形成される第１軸と縦軸との交点により画定される。したがってユーザは、柄部上で最も快適な任意の握り位置を選ぶことができる。
【００１１】
この補助具の実質的に丸味を帯びた連続面により、ユーザはてこ上の第１点を連続的に調節して、手首の動きなしにさらに高い操作性を得ることが出来る。したがって、この補助具により、補助具を取付けた柄部の握りの位置をユーザの都合で連続的に換えることが出来る。
【００１２】
加えてユーザは、任意の指又は親指を隆起部表面上の任意の位置に置くことが出来るので、隆起部は利き手に関係なく、したがって補助具を含む器具は右利きの人でも左利きの人でも同じように使用することができる。
【００１３】
補助具を装着した柄部の縦軸からの隆起部の変位は、ユーザに一層大きいてこ作用をもたらし、したがって柄部を装着した器具の操作性が増大する。
【００１４】
上面上の第２軸の長さにより画定される隆起部の幅は、上面と下面との間の距離として定義される隆起部の厚さより、大きいことが好ましい。これは、ユーザがてこ上の第１点を縦軸から離れて選択しやすくし、それによりこの器具に大きいてこ作用をもたらすよう仕向けられる。加えて、ユーザは自然に指、親指又は指を隆起部の中心に置く。
【００１５】
下面は、上面と平行であることが好適である。したがって、上面と同様に、下面もまた、ユーザの指又は親指を置く快適で安定した面を形成する二重螺旋上に位置する。
【００１６】
変位角は鋭角であることが好ましい。変位角は５〜４５度の範囲にあることが有利である。変位角は、第１軸と縦軸の交点と、第１軸と第２軸の交点との間の距離に対し反比例の関係になるように選択される。
【００１７】
本発明の第２の態様によると、手動装置に使用するための柄部が提供される。その柄部は、本発明の第１の態様に記載の姿勢案内補助具を含む。
【００１８】
この柄部は、縦軸上に軸を含むのが好適である。軸は、縦軸に平行に平担な表面を含むのが好適である。この平担な表面は、変位角の形成される第１軸と縦軸との交点がその上に位置するように配置するのが更に好適である。
【００１９】
したがって、使用に当たり、てこ上の対向点は平担な表面上にあるので、そのことがユーザによる柄部の操作の手際を向上させ、その結果手動器具の操作性も改善される。これは、ユーザの手の対向点に置かれる部分、一般的には薬指と小指が静止したままで、てこの第１点に置かれるユーザの指の部分、一般的には親指が、柄部及び対象物が回転する隆起部表面上の両端との間で連続的に位置を変えることで達成される。
【００２０】
軸は、ほぼ平担な複数の表面を縦軸に対して平行に含む。軸は、ほぼ平担な表面３つを縦軸に対して平行に含むのが有利である。このような三角断面の柄部は、ユーザが柄部を操作するために要する握力が少なくてすみ、良好なてこ作用をもたらす。
【００２１】
本発明の第３の態様により提供される手持ち器具は、可動部と、可動部の運動を実現する少なくとも１つの柄部を含み、この少なくとも１つの柄部は第２の態様にしたがったものである。
【００２２】
したがって、本発明による器具は、現在使用されるあらゆる手動器具に当てはまるが、少なくとも１つの柄部上に第１の態様の姿勢案内補助具が組込まれている。
【００２３】
この器具は、好適には柄部１つを有する。このような器具の実施例には、真空掃除機及び杖が、ブラシ、料理道具、ラケット及び筆記具など、全ての手持ち用具と共に含まれる。あるいは、器具は柄部２つを含むこともある。このような器具の実施例には、車椅子、芝刈り機、乳母車及び折畳み式乳母車が含まれる。
【００２４】
可動部は、好適には少なくとも１つの柄部に対する装着点に隣接する少なくとも１つの縦軸を含む。可動部の少なくとも１つの縦軸は、少なくとも１つの柄部の縦軸と同一線上にあることが好ましい。このような器具の実施例には、指揮棒がある。
【００２５】
あるいは、可動部の少なくとも１つの縦軸は、柄部の縦軸に対しオフセットになっていてもよい。このような器具の実施例は、角度のある歯ブラシである。
【００２６】
可動部は、好適には作動部を含む。その作動部は、可動部の中でユーザが操作する必要のある部分として定義される。作動部は、可動部の表面であってもよい。このような器具の実施例には、ヘアブラシ、歯ブラシ、絵筆、筆記具がある。作業部が可動部の縦軸に対し平行な面上にある場合は、作業部の平面が柄部の軸のほぼ平担な面と同一面上にこないように、作業部の平面が縦軸上で回転するように可動部を柄部に装着するのが有利である。作業部の平面は、第１軸と第２軸が形成する平面に対し平行であれば更に好適である。このような器具の実施例は、刃先が作業部であるナイフが考えられる。このような器具の別の実施例は、歯ブラシである。
【００２７】
器具の好適実施例は、ロールヘアブラシ、ペン、鉛筆、スキーのストックなどである。このような器具は、柄部の３６０度の大部分に渡って回転作動する作業部を有することを特徴とする。姿勢案内補助具がもたらすてこ作用と回転の制御により、このような器具の作業部の用途は増大する。
【発明を実施するための最良の形態】
【００２８】
ここで本発明の実施例を、添付図面を参照しながらの例示のみで、説明する。
先ず、本発明の第１実施例にしたがう器具を示す第１図を参照する。図１の器具は歯ブラシで、一様に参照番号１０で示す。歯ブラシ１０は、可動部であるヘッド１２及びそれに装着される柄部１４を含む。柄部１４上に位置するのが、後述する姿勢案内補助具１６である。歯ブラシ１０は、補助具１６を除けば、標準的ヘッド傾斜歯ブラシである。したがって、ヘッド１２の縦軸１８は、柄部１４の軸２０の縦軸２２に対しオフセットになっている。ヘッド１２は、歯ブラシの毛２６の面により形成される作業部２４を有する。
【００２９】
柄部１４は、可動部１２に接続される軸２０を含む。軸２０は、縦軸２２の周りに４つの平担な表面２８ａ−ｄを有する。軸２０の上面２８ａから伸びているのが、姿勢案内補助具１６である。補助具１６は、柄部１４からの隆起部又は膨らみのように見える。補助具１６は、その単一連続面の一部に、上面３０と下面（示さず）を有する。したがって、補助具１６は、プラスチック又は艶出し木材など、表面を滑らかな又は艶のある面にすることの出来る材料で作られている。補助具１６は、軸２０の縦軸２２に対しオフセットになっている。オフセットは、面２８ａと同一面上にあり縦軸２２から変位角３４だけ変位した第１軸３２の上に補助具を置くことにより生じる。この実施例においては、変位角は約１５度である。上面３０には第２軸３６があり、第１軸３２に対し直角になっている。第２軸３６は、上面３０を横切って伸びている。隆起部の特徴は、第２軸つまり面３０が、第１軸３２に対して回転する第２軸３６が形成する二重螺旋の一部を示すように配置されていることである。したがって、補助具１６の上面の上方から見ると、事実上右巻き螺旋を形成する。指又は親指は隆起部上を動くので、上面３０と下面との間に生じるエッジ効果により、指又は親指の安定性と握りが改善される。この実施例においては作業部２４が面２８ａと同一平面上にあることにもまた注目しなければならない。
【００３０】
ユーザは、柄部１４を囲んで手を折り曲げるのが好適である。使用する手が右手であるか左手であるかは、重要ではない。当然のことながら、同様に補助具１６は、柄部１４の反対側に同等に配置することが出来る。個々の人は、ごく自然に自分の親指を上面３０の上に置く一方で、薬指と小指は変位角３４の始点に置く。柄部１４の部分も個々の人の掌の上に置かれる。歯に対して歯ブラシの毛２６を操作するため、ユーザは薬指と小指を親指の反対側で操作して、てこを形成する。これにより、柄部１４又は補助具１６にトルクを与えることが出来る。補助具１６にトルクを与えることで、歯ブラシがユーザの手の中で回転する。手に快適さを促すため、ユーザは歯ブラシ１０を回すとき、補助具１６の表面上で親指を上面３０から下面に対して絶えず動かして位置を変えようとしがちである。この動作全体は、手首をあまり大きく回す必要がなく達成できる。第２軸３６にある隆起部の幅が上面３０と下面との間の厚さより大きいことから、表面にはっきり確認できる唇状部ができるので、親指が下面にあるときには上手く制御することが出来る。歯ブラシ１０の運動と制御全般は、柄部１４が手の中で穏やかに平衡しているので、指と親指との比較的小さい緩やかな運動を通じて達成される。したがって、手又は手首のどの部分にも負担が掛からない。
この歯ブラシ１０はまた、ユーザが（親指以外の）指、例えば人差指を補助具１６に置いてもうまく操作できる。この構成では、薬指と小指は、柄部１４の頂面２８ａの対向面２８ｃの変位角３４の始点に置かれる。親指が、薬指／小指と人差指との間に生じる、てこの平衡をもたらす。てこにより、補助具１６の面上を現に連続的に動く人差指を用いて、前述のように歯ブラシ１０は回転する。この動作は手首に負担をかけない。
ここで、本発明の第２実施例にしたがう器具を示す図２（ａ）及び（ｂ）を参照する。図２の器具は、回転式ピザカッタで、一様に参照番号１１０で示す。図１のものと類似の部品には、同一参照番号に１００を加えて示す。この実施例は、図１の実施例と同様の方法で作動する。
【００３１】
図２の実施例は、可動部１１２の縦軸１１８が柄部１１４の縦軸１２２と同一線上にある手持ち器具を示す。さらに、この場合は回転式カッタを囲む刃先である作業部１２４が、柄部１１４に対するヘッド１１２の回転により、平担な表面１２８ａからオフセットになっている。このオフセットは、カッタを対象物、即ちピザ下地に対し、刃を垂直にして当てなければならないために必要である。先行技術、国際特許出願９７／４４１６４号、のヘッドがオフセットになっている物と異なり、この器具１１０は、右手又は左手を用いても同様に使用することが可能で、また先行技術で要求される親指ではなく、（親指以外の）他の指を補助具１１６の上に置いても使用することが出来る。事実、器具が使用中回転することを必要としないこの実施例に関しては、親指ではなく人差指を補助具１１６の上面１３０の上に置くことにより、てこ作用を最も快適に実行することが出来る。親指の使用は、親指を補助具１１６の上面１３０と下面１４０との間の縁１３８の上に置くとき最も良く果たされる。
【００３２】
ここで、本発明の好適実施例にしたがう器具を示す図３（ａ）及び（ｂ）に目を転じる。図３の器具は、ロールブラシであるが、一様に参照番号２１０で示す。図１のものと類似の部品には、同一参照番号に２００を加えたものを使用する。
【００３３】
ヘアブラシ２１０は、軸２１８に対し放射状で縦方向に歯ブラシの毛２２４が配置されるヘッド２１２と、姿勢案内補助具２１６を含む柄部２１４を含む。柄部２１４は、断面がほぼ円形で、縦軸２２２を中に向き合う平担な表面２２８ａ、ｂを有する。ヘッド２１２と柄部２１４は同一線上にある。ヘッド２１２上の歯ブラシの毛２２４が、ヘアブラシ２１０の周りに３６０度の範囲を覆う円筒形作業部２２６を備えている。姿勢案内補助具２１６は、柄部２１４の上に取付けられるので、第２実施例と異なり、柄部２１４は補助具２１６の隆起部に合わせて成形されてはいない。それは、事実上補助具２１６がどの柄部にも取付けられることを示す。補助具２１６は、前述のように、柄部２１４からの隆起部又は膨らみである。隆起部は、柄部の軸２２２に対し変位角２３４の位置に配置される。この変位角２３４は、柄部２３４上の薬指と小指が置かれる位置を反映して決められる。補助具の輪郭は、変位角２３４で隆起部から形成される軸２３２に対して回転する補助具を通る垂直軸から形成される二重螺旋状である。
【００３４】
図４（ａ）〜（ｅ）は、使用中のロールブラシ２１０を示す。先ず図４（ａ）を参照すると、ユーザはｚ２２０を握るためにブラシ２１０の柄部２１４を囲む古典的な握り方をしてきた。ユーザの手２４２は、親指２４３を姿勢案内補助具（この図では見えない）の上面に置いて、軸２２０の周りを包む。ユーザの中指、薬指２４４及び小指は、薬指２４４の腹を軸２２０の平担な表面２２８ａに当てながら、軸２２０に当てて保たれる。平担な面２２８ａの上の薬指２４４の位置で、姿勢案内補助具２１６の位置決めのための変位角２３４（示さず）の始点が決まる。人によりの手の大きさが異なるので、変位角２４４の始点上にある薬指２４４の位置は決定的なものではなく、殆どの人は、この始点の周りに自分に快適な位置を見出すことができる。これは勿論、人によって別の指をこの位置に置くことになるが、典型的には１本の指又は親指が、自然にこの位置に心地よく納まる。図４（ａ）の位置に示す手では、平担な面２２８ａの上にある薬指２４４と姿勢案内補助具の上面にある親指との間にてこが形成される。このてこの平衡点はユーザの手２４２の掌の中にあり、多くの場合人差指の第３関節にある。てこを作動させて、ユーザは頭髪などのブラシを掛ける対象物との関係でブラシの角度を調節することが出来る。これは、ユーザがブラシ２１０を、いわば手首を調節せずに正しい角度で髪に当てるのに役立つ。こうしてユーザは、軸２２０上で軽く握り心地の良さをを保持しながら、親指２４３と指先２４４を使って、単にてこの平衡点を動かすだけで、ブラシ２１２の傾き又は上下動を調節することが出来る。
【００３５】
ブラシ２１２のヘッドは、縦方向に等間隔の歯ブラシの毛の列を含む。ブラシ２１０には１４列の歯ブラシの毛がある。ブラシ２１０を操作するときの歯ブラシの毛の位置を目で確認し易くするため、マーカ２４６を歯ブラシの毛の１列のトップに取付ける。マーカ２４６は、放射状に取付けた紙片である。図４（ａ）において、マーカ２４６は、ブラシ２１６の右側にあるのが分かる。
【００３６】
ここで図４（ｂ）を参照すると、ユーザが薬指２４４の位置で、てこに対し若干のトルクを与えていることが分かる。これにより、ユーザが、補助具２１６の上面を横切って補助具２１６の外縁に向かって親指２４３を動かすことで握りの位置が変わる。ユーザの手首は、何も有効な動作をしていないが、ブラシのマーカ２４６は、ブラシの作業部２２４が約６０度回転したことを示している。
【００３７】
平らな面２２８ａの上にある薬指２４４に最低の圧力を掛けてトルクを追加して加えると、ブラシ２１０は更に回転する。これを図４（ｃ）に示す。ここでは親指が、補助具の下面に向かい補助具の縁を超えて置かれている。親指の置換えは、親指を補助具２１６の連続面の上で、控え目な自然な方法で滑らせることにより連続動作として達成される。ここでも、この運動をもたらすのに手首が使われていないので、完全に緊張のない状態にあることに注意されたい。
【００３８】
図４（ｄ）は、薬指２４４が控え目な軽い圧力を平らな面２２８ａに対し更に少し加えるときマーカ２４６が達成する回転を示す。親指２４３は、このとき補助具２１６の下面の上に置かれている。この段階で、親指２４３が軽い圧力を加えて回転を助けることが出来る。ここでも、この運動をもたらすのに手首が使われていないので、完全に緊張のない状態にあることに注意されたい。
【００３９】
手首を使わないで親指２４３を最も遠く伸ばす様子を図４（ｅ）に示す。ここでは、マーカ２４６によって、作業部２２４が最大回転を達成することを示す。図４（ａ）と比較すると、マーカが少なくとも１８０度回転することが分かる。このように、放射状のヘアブラシに姿勢誘導補助具を置くことにより、非常に大きい有効実用領域（区画２４４）を使用することが出来るので、髪をブラシするときユーザが利用することが出来る梳きが大きくなる。対照的に、握って手首の回転により使用する先行技術放射状のブラシの与える回転は、一般的に４５度に制限される。
【００４０】
ブラシ２１０の操作において回転と器用さがおおきくなるとのこの利点は、製品上に３６０度の作業部を備え、補助具を装着又は組込む柄部と製品の頭が同一線上にある、あらゆる手持ち製品について見ることが出来る。このような製品の例には、ペン、鉛筆、泡立て器、千枚通し、杖及びスキー用ストックが含まれるが、図４（ａ）乃至（ｅ）を参照して記述する方法でユーザを助けるため、姿勢誘導補助具を組込むことが出来る広範囲の製品が存在することは理解されるであろう。前述の他の実施例と同じく、放射状のブラシもまた左手又は右手を用い、また異なる配置の指及び／又は親指を使用する握り方により、梃子を作って効果的に操作することが出来る。
【００４１】
本発明は、単一の柄部を有する器具に限られるものではないので、それを図５に示す。本発明の第４実施例にしたがって製品（不図示）３１０に取付けられる２本の柄部３１４ａ、ｂを図５に示す。図１のものと類似の部品には、３００を加えて同一参照番号を与える。それぞれの柄部に関係する部品には、必要に応じて「ａ」及び「ｂ」の添字を付ける。
【００４２】
柄部３１４ａ、ｂは、子供の（折畳み式）乳母車に取付けられる配置になっているので、ユーザの体から離れる方向を指す。姿勢誘導補助具３１６ａ、ｂは、柄部３１４ａ、ｂの末端に位置し、内側に向けて示す。補助具は、柄部３１４ａ、ｂの外側縁に同じように装着することが出来る。この実施例においては、製品の縦軸３１８は概ね垂直で、柄部の縦軸３２２に対し鋭角を作る。柄部上での補助具３１６の位置決めは、依然として変位角度上にあって、前の実施例に関連して前述したような二重螺旋上に面を有する。梃子の一端を作るため薬指と小指を置く平らな面３２８は、ここでは柄部の側に置かれて、使用中、手のためいっそう快適な姿勢を作る。
【００４３】
柄部２本を組込む器具は、普通長時間に渡って使用されるので、これは特に重要である。この製品上の姿勢誘導補助具３１６ａ、ｂにより、ユーザは、補助具３１６ａ、ｂの表面上に置かれる親指に対する握りの小さい変更を通じて（折畳み式）乳母車を制御することが出来る。（折畳み式）乳母車の舵取りが、後ろ又は前を上げて縁石などの障害物を乗り越えるため、乳母車を傾けるのと同様に容易になる。
【００４４】
図５に示す柄部の配置は、車椅子、乳母車、芝刈り機、及び買い物用手押し車など別の製品にも使用することが出来る。
【００４５】
最後に図面の図６を参照する。これは、本発明の第５実施例にしたがう姿勢誘導補助具を含む筆記具を示す。筆記具はペンで、一般的に参照番号４１０で示す。図１のものと類似の部品には、４００を加えて同一参照番号を与える。図上に手４４２の輪郭を描いてペン４１０を使用するとき採用する握り方を示す。
【００４６】
ペン４１０は、書込む紙その他の物に接触する先端４２４、作業部、を担う軸４２０を有する。軸４２０と先端４２４は、柄部４１４の縦軸４２２と同一線上にある。放射状のヘアブラシのように、ペン４１０の作業部４２４は縦軸４２２を３６０度囲み、加えて先端もまたこの軸４２２の上で使用することが出来る。柄部４１４の形状は、前述のように三角断面がペンを握る助けになるであろうが、重要ではない。前述のように、姿勢誘導補助具４１６は、軸の上に作業部４２４に向かって装着される。この実施例においては、変位角度４３４の始点が作業部４２４に近いので、その結果、変位角度は約４５度となる。これは補助具４１６に二重螺旋配置のための明確な膨らみと激しく落ち込む面を作る。ここで、梃子は変位角度４３４の始点近く又は真上の点に位置する第１指４４４と、補助具４１６の面に位置する親指によって確立される。平衡は、示す形でペンの下に置かれる第２指を通じて達成される。加えてペンは掌の側面に置かれる。平らな面が第２指に位置するとき最良の平衡が達成され、三角形柄部に関してはこれがまた、平らな面を優先的に掌に向かって置かせる。
【００４７】
人差指４４４が加える圧力が、先端４２４と書込まれる紙の面との接触を与えるのに対し、補助具４１６の表面を覆う親指４４３の運動は、筆記時の補助的な制御を与えるのは、補助具４１６の取付けられていないペンを標準の握り方で使用するとき経験することである。
【００４８】
ペン４１０に使用するための姿勢誘導補助具４１６の更なる特徴は、標準のペン又は鉛筆の上に置くことの出来るゴム製スリーブに成形することが出来ることである。現在、ペンは、使用中ペンを握るのを助けるためゴム製スリーブを付けて製造されているが、これらは姿勢誘導補助具と反対に使用するときの回転制御を提供しない。
【００４９】
本発明の主要な利点は、ユーザが、手首を動かすことなく連続的に握りを調節することにより、補助具の組込まれた器具の操作性を増すことの出来る姿勢誘導補助具を提供することである。
【００５０】
加えて、ユーザは、任意の指又は親指を任意の位置で補助具の隆起部の表面上に置くことが出来るので、隆起部及びしたがって補助具を含む器具を右利き又は左利きの人が同じように使用するのに全く困難がない。したがって補助具はまた柄部のいずれの側に取付けても構わないので、柄部上への組込のため一層適応性のあるものとする。
【００５１】
本発明の更なる利点は、補助具を取付ける柄部の縦軸から補助具の隆起部を変位させることにより、補助具がユーザのため大きい梃子作用を作り、したがって柄部に取付ける器具の上下動及び回転の形での操作性を大きくすることである。この利点は、放射状作業部を有する器具であって、可動部が柄部の軸と同一線上にある場合、放射状のヘアブラシなど、に特に見られる。
【００５２】
本発明の範囲を逸脱することなく、各種変更を本発明に対して行うことができることは当業者に理解されるであろう。特に、広範な各種器具を、姿勢誘導補助具を組込むため改造することができる。例えば、姿勢誘導補助具を用いて体験する回転に等しい領域に歯ブラシの毛が伸びる一部放射状のヘアブラシを製造することが出来る。
【図面の簡単な説明】
【００５３】
【図１】本発明の第１実施例にしたがって器具の柄部に組込む姿勢案内補助具の概略図である。
【図２】（ａ）及び（ｂ）は、本発明の第２実施例にしたがって器具の柄部に組込む姿勢案内補助具のそれぞれ上面図及び底面図である。
【図３】（ａ）及び（ｂ）は、本発明の好適実施例にしたがって器具の柄部に組込む姿勢案内補助具のそれぞれ側面図及び斜視図である。
【図４】（ａ）〜（ｅ）は、図３の器具の使用中の一連の図である。
【図５】本発明の第４実施例にしたがって器具の柄部に組込む姿勢案内補助具の斜視図である。
【図６】本発明の第５実施例にしたがう姿勢案内補助具を含む器具の使用中の斜視図である。
【国際公開パンフレット】
2004533898.tif 000003
2004533898.tif 000004
2004533898.tif 000005
2004533898.tif 000006
2004533898.tif 000007
2004533898.tif 000008
2004533898.tif 000009
2004533898.tif 000010
2004533898.tif 000011
2004533898.tif 000012
2004533898.tif 000013
2004533898.tif 000014
2004533898.tif 000015
2004533898.tif 000016
2004533898.tif 000017
2004533898.tif 000018
2004533898.tif 000019
2004533898.tif 000020
2004533898.tif 000021
2004533898.tif 000022
2004533898.tif 000023
2004533898.tif 000024
2004533898.tif 000025
2004533898.tif 000026
2004533898.tif 000027
2004533898.tif 000028
2004533898.tif 000029
2004533898.tif 000030
2004533898.tif 000031
2004533898.tif 000032
2004533898.tif 000033
2004533898.tif 000034
2004533898.tif 000035
2004533898.tif 000036
2004533898.tif 000037
2004533898.tif 000038
【手続補正書】
【提出日】平成15年10月28日(2003.10.28)
【手続補正１】
【補正対象書類名】特許請求の範囲
【補正対象項目名】請求項１
【補正方法】変更
【補正の内容】
【請求項１】
器具の柄部に組込むための姿勢案内補助具であって、補助具の縦軸からオフセットされる実質的に丸味のある隆起部を含み、補助具の縦軸が柄部の縦軸上に位置するように配置され、その隆起部が隆起を覆う単一連続表面の一部である上面と下面とを含み、その上面が柄部の縦軸から変位角度でその上に置かれる第１軸を含み、その第１軸がこれもまた上面の上に置かれる第２軸に対し直角になっていることと、第１軸の周りの第２軸の回転により定まる二重螺旋の一部の上に上面が配置されることを特徴とする、姿勢案内補助具。
【手続補正２】
【補正対象書類名】明細書
【補正対象項目名】０００９
【補正方法】変更
【補正の内容】
【０００９】
本発明の第１の態様によると、器具の柄部に組込むための姿勢案内補助具が提供できる。この補助具は、補助具の縦軸からオフセットされる実質的に丸味のある隆起部を含み、補助具の縦軸が柄部の縦軸上に位置するように配置される。この隆起部は、隆起を覆う単一連続面の部分となる上面と下面を含み、上面は、柄部の縦軸から変位角度を持ってその上に置かれる第１軸を含み、第１軸が、これもまた上面に置かれる第２軸と直交することを特徴とする。上面は、第１軸を廻る第２軸の回転により定まる二重螺旋の部分の上に配置される。




【国際調査報告】
2004533898.tif 000039
2004533898.tif 000040